【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
酸素発生用装置において、
容器と；
少なくとも前記容器と連通するように構成された加湿機であって、当該加湿機と容器との間で直接的にあるいは間接的に流体を移送する加湿機と；及び
前記容器に収容された酸素発生用水溶液を具えることを特徴とする装置。
【請求項２】
請求項１記載の装置において、前記酸素発生用水溶液が、更に、水に溶解した反応物質を具え、当該反応物質が過炭酸ナトリウム（２Ｎａ２ＣＯ３・３Ｈ２Ｏ２）又は過ホウ酸塩（ＮａＢＨＯ３）から成る群より選択されたものであることを特徴とする装置。
【請求項３】
請求項１又は２記載の装置において、前記酸素発生用水溶液が、更に触媒を具え、当該触媒が少なくとも無害であり、少なくとも環境危険物ではなく、少なくとも爆発危険物ではなく、少なくとも火災危険物ではなく、少なくとも長期の保存寿命を有することを特徴とする装置。
【請求項４】
請求項１記載の装置において、前記酸素発生用水溶液が、更に、二酸化マンガン（ＭｎＯ２）を具える触媒を具えることを特徴とする装置。
【請求項５】
請求項３記載の装置において、前記触媒が、更に、二酸化マンガン（ＭｎＯ２）と炭酸ナトリウム（Ｎａ２ＣＯ３）との混合物を具えることを特徴とする装置。
【請求項６】
請求項１記載の装置において、前記酸素発生用水溶液が、更に触媒を具え、当該触媒が更に金属酸化物を具えることを特徴とする装置。
【請求項７】
請求項３記載の装置において、前記触媒が、更に、金属酸化物を具えることを特徴とする装置。
【請求項８】
請求項１記載の装置において、前記装置が、更に、少なくとも前記容器と前記加湿機との間で流体を移送するように構成した流体移送部材を具えることを特徴とする装置。
【請求項９】
酸素発生用装置において：
少なくとも水性反応を含有する容器と；
前記容器に液通するように少なくとも構成されている加湿機と；及び
前記水性反応中に反応物を生成する酸素として少なくとも使用される水溶性反応物と；
を具えることを特徴とする装置。
【請求項１０】
請求項９記載の装置において、前記水溶性反応物が更に、水に溶解した過炭酸ナトリウム（２Ｎａ２ＣＯ３・３Ｈ２Ｏ２）又は過ホウ酸塩（ＮａＢＨＯ３）から成る群より選択された反応物を具えることを特徴とする装置。
【請求項１１】
請求項９又は１０に記載の装置において、前記装置が更に触媒を具え、当該触媒が少なくとも無害であり、少なくとも環境危険物ではなく、少なくとも爆発危険物ではなく、少なくとも火災危険物ではなく、少なくとも長期の保存寿命を有することを特徴とする装置。
【請求項１２】
請求項９に記載の装置において、前記装置が更に、二酸化マンガン（ＭｎＯ２）を具える触媒を具えることを特徴とする装置。
【請求項１３】
請求項１１記載の装置において、前記触媒が、二酸化マンガン（ＭｎＯ２）と炭酸ナトリウム（Ｎａ２ＣＯ３）との混合物を具えることを特徴とする装置。
【請求項１４】
請求項９記載の装置において、前記装置が更に金属酸化物を具える触媒を具えることを特徴とする装置。
【請求項１５】
請求項１１記載の装置において、前記触媒が更に金属酸化物を具えることを特徴とする装置。
【請求項１６】
請求項９記載の装置において、前記装置が、更に、前記容器と前記加湿機との間に直接的または間接的に延在する通路の少なくとも一部に沿って少なくとも流体を移送するように構成したダクト部材を具えることを特徴とする装置。
【請求項１７】
酸素発生用装置において：
少なくとも水性反応を含有する容器と；
前記容器に液通するように少なくとも構成されている加湿機と；
前記水性反応中の反応物として少なくとも用いられる水溶性粉体または液体と；
を具えることを特徴とする装置。
【請求項１８】
請求項１７記載の装置において、前記水溶性粉体または液体が更に、水に溶解した過炭酸ナトリウム（２Ｎａ２ＣＯ３・３Ｈ２Ｏ２）又は過ホウ酸塩（ＮａＢＨＯ３）から成る群より選択された反応物を具えることを特徴とする装置。
【請求項１９】
請求項１７記載の装置において、前記触媒が二酸化マンガン（ＭｎＯ２）を具えることを特徴とする装置。
【請求項２０】
請求項１８記載の装置において、前記触媒が、二酸化マンガン（ＭｎＯ２）と炭酸ナトリウム（Ｎａ２ＣＯ３）との混合物を具えることを特徴とする装置。
【請求項２１】
請求項１７記載の装置において、前記触媒が金属酸化物を具えることを特徴とする装置。
【請求項２２】
請求項１８記載の装置において、前記触媒が金属酸化物を具えることを特徴とする装置。
【請求項２３】
請求項１７記載の装置において、前記装置が、更に、前記容器と前記加湿機との間に延在する通路の少なくとも一部に沿って少なくとも流体を移送するように構成した流体移送システムを具えることを特徴とする装置。
【請求項２４】
酸素発生器を操作する方法において：
容器に水を満たすステップであって、当該容器が加湿機と液通しているステップと；
酸素生成反応物として少なくとも使用される水溶性粉体または流体を前記水の少なくとも一部に溶かして、これによって酸素を発生する溶液をつくるステップと；及び
前記容器内の酸素の少なくとも一部を前記加湿機へ向けるステップと；
を具えることを特徴とする方法。
【請求項２５】
請求項２４記載の方法において、前記方法が、更に、
前記水溶性粉体を溶解させた後、前記水溶液の少なくとも一部に触媒を導入するステップを具え、前記触媒が少なくとも無毒であり、少なくとも環境危険物ではなく、少なくとも爆発危険物ではなく、少なくとも火災危険物ではなく、少なくとも長期の保存寿命を有することを特徴とする方法。
【請求項２６】
請求項２４記載の方法において、前記方法が、更に、
前記水溶性粉体と同時に、前記水溶液の少なくとも一部に触媒を導入するステップを具え、前記触媒が少なくとも無毒であり、少なくとも環境危険物ではなく、少なくとも爆発危険物ではなく、少なくとも火災危険物ではなく、少なくとも長期の保存寿命を有することを特徴とする方法。
【請求項２７】
請求項４に記載の装置において、前記触媒が炭酸ナトリウム（Ｎａ２ＣＯ３）を具えることを特徴とする装置。
【請求項２８】
請求項１２に記載の装置において、前記触媒が炭酸ナトリウム（Ｎａ２ＣＯ３）を具えることを特徴とする装置。
【請求項２９】
請求項１９に記載の装置において、前記触媒が更に炭酸ナトリウム（Ｎａ２ＣＯ３）を具えることを特徴とする装置。
【手続補正２】
【補正対象書類名】明細書
【補正対象項目名】００１３
【補正方法】変更
【補正の内容】
【００１３】
所望の酸素発生及び環境適格性を達成するために、いくつかの化学物質を使用することが出来る。前記反応制限物質は、無毒であり、環境危険物ではなく、爆発物ではなく、火災危険物ではなく、長期の保存寿命を有する水溶性粉末又は液体であるべきである。無毒であり、火災危険物ではなく、又は爆発物ではないとは、危険有害性情報システム（ＨＭＩＳ）等の環境特性を評価するために一般的に受け入れられる方式によって、それぞれ毒であり、火災危険物であり、爆発物であるとみなされない化合物として定義することが出来る。また、長期の保存寿命とは、華氏（Ｆ）８６°の標準温度以下で貯蔵したとき、不定期間貯蔵出来る材料として定義することが出来る。例えば、過炭酸ナトリウム（２Ｎａ２ＣＯ３・３Ｈ２Ｏ２）粉末は、水に溶解することが出来る条件に合った材料である。酸素発生反応において過炭酸ナトリウム（２Ｎａ２ＣＯ３・３Ｈ２Ｏ２）を使用して得られた廃液は、ソーダ灰の溶液である。また、過ホウ酸化ナトリウム（ＮａＢＨＯ３）等の反応制限物質として使用できる、種々の他の化学物質もある。